(57)【要約】      （修正有）【課題】設置の際の作業効率を向上するコントローラを提供する。【解決手段】建物の壁に固定される枠体１０と、制御基板を有するとともに枠体１０に固定可能である本体４０と、を備える。枠体１０は、壁に対向して配置される背面１２と、背面１２の反対側の正面と、背面１２と正面を貫通する通孔１８と、本体４０を、通孔１８が本体４０によって覆われない位置である作業位置に保持するための本体保持フック２０ａ〜２０ｃと、作業位置とは異なる使用位置であって、通孔１８が本体４０によって覆われる位置である使用位置に配置された状態の本体４０を固定するためのネジ孔２２ａ〜２２ｄと、を有する。【選択図】図４
2018032789.tif 000002
【特許請求の範囲】
【請求項１】
電気錠の開閉を制御するためのコントローラであって、
建物の壁に固定される枠体と、
前記電気錠の制御を行うための制御基板を有するとともに前記枠体に固定可能である本体と、を備え、
前記枠体は、
前記壁に対向して配置される第１面と、
前記第１面の反対側の第２面と、
前記第１面及び前記第２面を貫通する通孔と、
前記本体を、前記通孔が前記本体によって覆われない位置である作業位置に保持するための第１保持構造体と、
前記作業位置とは異なる使用位置であって、前記通孔の少なくとも一部が前記本体によって覆われる位置である前記使用位置に配置された状態の前記本体を固定するための固定構造体と、を有している、
コントローラ。
【請求項２】
前記枠体は、さらに、
前記本体を、前記使用位置に保持するための第２保持構造体を有している、
請求項１に記載のコントローラ。
【請求項３】
前記第１保持構造体は、前記第２保持構造体と共通の構造体であって、
前記第１保持構造体は、さらに、前記本体を保持するとともに、前記第１保持構造体を軸として、前記本体を前記作業位置と前記使用位置との間で回動させるための回動構造を有する、
請求項２に記載のコントローラ。
【請求項４】
前記第１保持構造体は、前記本体を正面視する場合における左側端部又は右側端部のうちの一方の端部を保持するとともに、他方の端部を保持しないことによって、前記本体を前記作業位置に保持する、
請求項１から３のいずれか一項に記載のコントローラ。
【請求項５】
前記作業位置で保持されている前記本体と前記枠体とを平面視した場合において、前記本体と前記第２面とが形成する角度が９０°以下である、
請求項４に記載のコントローラ。
【請求項６】
前記第１保持構造体は、前記第２面を正面視する場合において、上方向に凸形状を有するフック状の係止構造を有する、
請求項４又は５に記載のコントローラ。
【請求項７】
前記フック状の係止構造は、さらに、前記第２面を正面視する場合における下方向にも凸形状を有する、
請求項６に記載のコントローラ。
【請求項８】
前記本体に固定可能であって、前記本体をカバー可能なカバー部材をさらに備え、
前記本体は、さらに、
前記カバー部材を、前記本体が覆われない位置である非カバー位置に保持するための第３保持構造体を備える、
請求項１から７のいずれか一項に記載のコントローラ。
【発明の詳細な説明】
【技術分野】
【０００１】
本明細書で開示する技術は、電気錠の開閉を制御するためのコントローラに関する。
【背景技術】
【０００２】
特許文献１には、扉等に取り付けられた電気錠の開閉を制御するためのコントローラが開示されている。このコントローラは、建物の壁に固定され、建物の壁面に対して平行となる面に開口部を備える枠体と、枠体に固定され、電気錠の開閉を制御するための基板を備える本体と、を有する。
【０００３】
このようなコントローラを設置する場合には、まず、建物の壁から引き出されている配線が開口部を通過するように枠体を配置して、その状態で枠体を壁に固定する。そして、本体の制御基板と配線とを電気的に接続することを含む接続作業を行った後、本体を枠体の所定位置に固定する。特許文献１の技術では、予め枠体を壁に固定しておくことにより、コントローラの壁面に対する固定位置の位置決めを容易にすることを図っている。
【先行技術文献】
【特許文献】
【０００４】
【特許文献１】特開２０１０−１２１３４７号公報
【発明の概要】
【発明が解決しようとする課題】
【０００５】
しかしながら、特許文献１のコントローラを設置する場合には、作業者は、枠体の固定後に、片手で本体を保持しながら、他方の手で上記の接続作業を行う必要があり、作業者の作業効率が良くない場合がある。特に、第三者によって不正に制御基板が操作されることを防止する目的で、コントローラが建物の壁の高所に取り付けられるべき場合等には、作業者は、脚立等に乗った状態で上記の作業を行う必要があり、作業負担が特に大きい。
【０００６】
本明細書では、従来に比べて、設置の際の作業効率を向上させることができるコントローラを提供する。
【課題を解決するための手段】
【０００７】
本明細書は、電気錠の開閉を制御するためのコントローラを開示する。コントローラは、建物の壁に固定される枠体と、電気錠の制御を行うための制御基板を有するとともに枠体に固定可能である本体と、を備える。枠体は、壁に対向して配置される第１面と、第１面の反対側の第２面と、第１面及び第２面を貫通する通孔と、本体を、通孔が本体によって覆われない位置である作業位置に保持するための第１保持構造体と、作業位置とは異なる使用位置であって、通孔の少なくとも一部が本体によって覆われる位置である使用位置に配置された状態の本体を固定するための固定構造体と、を有している。
【０００８】
上記の構成のコントローラを設置する場合、まず、枠体の第１面を壁に対向して配置する。その際、建物の壁から引き出されている配線を、第１面側から第２面側に向けて通孔に通過させて引き出し、その状態で枠体を壁に固定する。そして、枠体に備えられた第１保持構造体によって、本体を作業位置に保持する。次いで、作業位置に保持された状態の本体の制御基板と、本体によって覆われていない通孔から引き出されている配線とを電気的に接続することを含む接続作業を行う。そして、枠体の固定構造体を利用して、本体を使用位置に固定する。上記の通り、この構成のコントローラを設置する場合、作業者は、本体が作業位置に保持された状態で接続作業を行うことができる。そのため、作業者は、両手で接続作業を行うことができる。そのため、本体を作業位置で保持することができず、片手で本体を保持しながら他方の手で接続作業を行わなければならない従来のコントローラを設置する場合に比べて、作業者の作業効率が良い。従って、上記のコントローラによると、従来に比べて、設置の際の作業効率を向上させることができる。
【図面の簡単な説明】
【０００９】
【図１】コントローラの斜視図を示す。
【図２】カバーを非カバー位置に保持させた状態のコントローラの斜視図を示す。
【図３】コントローラの分解説明図を示す。
【図４】本体を作業位置に保持させた状態の斜視図を示す。
【図５】本体を使用位置に保持させた状態の斜視図を示す。
【図６】第２実施例の枠体の部分斜視図を示す。
【発明を実施するための形態】
【００１０】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【００１１】
（特徴１）枠体は、さらに、本体を、使用位置に保持するための第２保持構造体を有していてもよい。
【００１２】
この構成によると、作業者は、上記の接続作業を行った後、枠体の第２保持構造体を利用して、本体を使用位置に保持させることができる。そして、作業者は、本体が使用位置に保持された状態で、枠体の固定構造体を利用して、本体を使用位置に固定することができる。そのため、作業者は、接続作業の後で本体を使用位置に固定する際に、本体を手で使用位置に位置合わせして保持する必要がなく、本体の使用位置に容易に位置合わせすることができる。従って、上記の構成によると、本体を使用位置に固定する際の作業効率も向上させることができる。
【００１３】
（特徴２）第１保持構造体は、第２保持構造体と共通の構造体であってもよい。第１保持構造体は、さらに、本体を保持するとともに、第１保持構造体を軸として、本体を作業位置と使用位置との間で回動させるための回動構造を有していてもよい。
【００１４】
この構成によると、作業者は、本体を作業位置で保持させた状態で接続作業を行い、その後、本体を取り外すことなく、第１保持構造体を軸として使用位置に回動させ、使用位置で保持された状態を維持して、そのまま本体を使用位置に固定する作業を行うことができる。設置の際の作業効率をより向上させることができる。
【００１５】
（特徴３）第１保持構造体は、本体を正面視する場合における左側端部又は右側端部のうちの一方の端部を保持するとともに、他方の端部を保持しないことによって、本体を作業位置に保持するようにしてもよい。
【００１６】
この構成によると、本体を、枠体に対して、左側端部を中心に左向きに開いた状態、又は、右側端部を中心に右向きに開いた状態で、作業位置に保持することができる。第２面を正面視する場合において、作業位置における本体の上下方向（即ち高さ方向）の位置が、使用位置における本体の上下方向の位置と大きく異ならないため、作業者が作業を行い易い。
【００１７】
（特徴４）作業位置で保持されている本体と枠体とを平面視した場合において、本体と第２面とが形成する角度が９０°以下であってもよい。
【００１８】
この構成によると、作業位置で保持されている本体と枠体の第２面とが形成する角度が９０°以下であるため、作業位置で保持されている本体が、周囲の壁や物体に干渉する事態が発生し難くなる。
【００１９】
（特徴５）第１保持構造体は、第２面を正面視する場合において、上方向に凸形状を有するフック状の係止構造を有していてもよい。
【００２０】
この構成によると、上方向に凸形状を有するフック状の係止構造を有する第１保持構造体に、本体の一部を係止させることにより、本体を作業位置に保持させることができる。比較的簡易な構造によって、本体を作業位置に保持させることができる。
【００２１】
（特徴６）フック状の係止構造は、さらに、第２面を正面視する場合における下方向にも凸形状を有していてもよい。
【００２２】
この構成によると、壁に枠体を固定する際に、枠体の上下方向を逆にしても、第１保持構造体は本体を作業位置に保持することができる。本体を作業位置に保持した際に、本体が、左側端部を中心に左向きに開いた状態と、右側端部を中心に右向きに開いた状態と、を切り替えることができる。そのため、コントローラを設置する場所の周囲の状況に応じて、適切に本体を配置することができる。
【００２３】
（特徴７）上記のコントローラは、本体に固定可能であって、本体をカバー可能なカバー部材をさらに備えていてもよい。本体は、さらに、カバー部材を、本体が覆われない位置である非カバー位置に保持するための第３保持構造体を備えていてもよい。
【００２４】
この構成によると、作業者は、カバー部材が非カバー位置に保持された状態で、本体に対する作業を行うことができる。この場合も、作業者は、片手でカバー部材を保持しながら他方の手で作業を行う必要がなく、作業効率が良い。
【００２５】
（第１実施例）
図１及び図２に示すコントローラ２は、扉等に取り付けられた電気錠の開閉を制御するためのコントローラである。コントローラ２は、建物の壁に取り付けられて使用される。
【００２６】
図１〜図３に示すように、コントローラ２は、建物の壁に固定される枠体１０と、枠体１０に取り付けられる本体４０と、本体４０に取り付けられるとともに、使用時に本体４０を覆うことができるカバー８０と、を備えている。
【００２７】
（枠体１０の構成）
図３に示すように、枠体１０は、金属製のフレーム部材である。枠体１０は、背面１２と、正面１４と、上面１６ａと、下面１６ｂと、右側面１６ｃと、左側面１６ｄと、本体保持フック２０ａ〜２０ｃと、を有する。
【００２８】
背面１２は、建物の壁に対向して配置される側の面（図３の矢印Ｃ１側の面）である。背面１２には開口部１３が形成されている。また、背面１２には、図示しない壁固定用のネジ孔が形成されている。このため、背面１２を建物の壁に当接させ、当該ネネジ孔にネジ（図示省略）を螺入することにより、枠体１０を建物の壁に固定させることができる。
【００２９】
正面１４は、背面１２の反対側の面であり、建物の室内側に配置される面（図３の矢印Ｃ２側の面）である。正面１４にも開口部１５が形成されている。これにより、枠体１０には、背面１２の開口部１３から正面１４の開口部１５を貫通する通孔１８が形成される。さらに、正面１４には、４個のネジ孔２２ａ〜２２ｄが形成されている。
【００３０】
上面１６ａ、下面１６ｂ、右側面１６ｃ、及び、左側面１６ｄは、それぞれ、背面１２と正面１４との間に設けられる面である。面１６ａ〜１６ｄが設けられることにより、背面１２と正面１４との間に内部空間２４が形成される。後で説明するように、内部空間２４には、壁から引き出された配線１００の一部、及び、本体４０の背面側の面（矢印Ｃ１側の面）に配置されている端子台６６等を収容させることができる。
【００３１】
本体保持フック２０ａ〜２０ｃは、正面１４を正面視する場合（矢印Ｃ１方向に沿って見る場合）において、正面１４の左側端部（矢印Ｂ２方向の端部）に設けられている。本体保持フック２０ａ〜２０ｃは、それぞれ、正面１４から前方（矢印Ｃ２方向）に向けて突出するように設けられている。本体保持フック２０ａ〜２０ｃは、それぞれ、上方向（矢印Ａ１方向）に凸形状を有するフックである。図４、図５に示すように、本体保持フック２０ａ〜２０ｃを本体４０の本体保持孔５０ａ〜５０ｃに挿通させることによって、本体４０を枠体１０に保持させることができる。
【００３２】
（本体４０の構成）
本体４０は、枠体１０に固定されて使用される部材である（図１、図２参照）。本体４０は、電気錠の制御を司るための各種要素が備えられている部材である。図３に示すように、本体４０は、基材４１と、制御基板６０と、バッテリ６２と、ＬＥＤモジュール６４と、端子台６６と、を備えている。
【００３３】
基材４１は、金属製の板材によって形成されている。基材４１は、基部４２と、ロック挿入部４４と、側面部４８と、を有する。基部４２は、上記枠体１０の正面１４の開口部１５を閉塞可能な面積を有する。基部４２の四隅には、ネジ孔５２ａ〜５２ｄが形成されている。ネジ孔５２ａ〜５２ｄは、枠体１０の正面１４のネジ孔２２ａ〜２２ｄに対応する位置に形成されている。さらに、本体４０を正面視する場合において、基部４２の左側端部（矢印Ｂ２方向の端部）には、３個の本体保持孔５０ａ〜５０ｃが形成されている。上記の通り、本体保持孔５０ａ〜５０ｃには、上記の本体保持フック２０ａ〜２０ｃを挿通させることができる（図４、図５参照）。
【００３４】
ロック挿入部４４は、本体４０を正面視する場合（矢印Ｃ１方向に沿って見る場合）において、基部４２の右側端部（矢印Ｂ１方向の端部）に設けられている。ロック挿入部４４は、基部４２の表面から前方（矢印Ｃ２方向）に突出する板状部材である。ロック挿入部４４には、後で説明するロック部９２を挿通するための挿通孔４６が形成されている。
【００３５】
側面部４８は、本体４０を正面視する場合において、基部４２の左側端部（矢印Ｂ２方向の端部）に設けられている。側面部４８も、基部４２の表面から前方に突出する板状部材である。側面部４８には、２個のカバー保持孔７０ａ，７０ｂが形成されている。カバー保持孔７０ａ，７０ｂには、後述のカバー８０のカバー保持フック９０ａ，９０ｂを挿通させることができる。
【００３６】
上記の通り、図４、図５に示すように、枠体１０の本体保持フック２０ａ〜２０ｃを本体４０の本体保持孔５０ａ〜５０ｃに挿通させることによって、本体４０を枠体１０に保持させることができる。本実施例では、枠体１０に保持された本体４０は、枠体１０の通孔１８が本体４０によって覆われない位置である作業位置（図４参照）と、通孔１８が本体４０によって覆われる位置である使用位置（図５参照）と、の間で、本体保持フック２０ａ〜２０ｃ（より具体的には、本体保持フック２０ａ〜２０ｃと本体保持孔５０ａ〜５０ｃとの係合部分）を軸として、左右方向に回動可能である。即ち、本体４０は、図４の矢印Ｙ方向に沿って、作業位置と使用位置との間で回動可能である。言い換えると、本実施例では、枠体１０の本体保持フック２０ａ〜２０ｃを本体４０の本体保持孔５０ａ〜５０ｃに挿通させることによって、本体４０を、作業位置と使用位置との双方で保持させることができる。図４に示すように、作業位置で保持されている本体４０と枠体１０とを平面視した場合において、本体４０と枠体１０の正面１４とが形成する角度θは最大で９０°である。また、図５に示すように、本体４０を使用位置で保持させた場合、本体４０のネジ孔５２ａ〜５２ｄと、枠体１０のネジ孔２２ａ〜２２ｄと、が重なる。この場合、ネジ孔５２ａ〜５２ｄとネジ孔２２ａ〜２２ｄとにネジ１１０を螺入することで、本体４０を使用位置に保持した状態で枠体１０に固定することができる。
【００３７】
制御基板６０は、電気錠の開閉制御を行うための電気回路を有する基板である。バッテリ６２は、制御基板６０と電気的に接続され、制御基板６０に電力を供給することができる電池である。ＬＥＤモジュール６４は、制御基板６０と電気的に接続されており、複数個のＬＥＤを有しているモジュールである。制御基板６０、バッテリ６２、及び、ＬＥＤモジュール６４は、いずれも、基部４２の正面側の面（矢印Ｃ２側の面）に配置されている。端子台６６は、制御基板６０と電気的に接続されており、壁から引き出された配線を接続するためのコネクタモジュールである。端子台６６は、基部４２の背面側の面（矢印Ｃ１側の面）に配置されている。図５に示すように、本体４０を使用位置で保持させた場合、端子台６６は、枠体１０の内部空間２４内に収容される。
【００３８】
（カバー８０の構成）
カバー８０は、本体４０に取り付けられるとともに、使用時に本体４０を覆うことができる部材である（図１、図２参照）。カバー８０は、金属製であり、背面（図３の矢印Ｃ１側の面）が開口した箱状に形成されている。カバー８０は、正面８２と、上面８４ａと、下面８４ｂと、右側面８４ｃと、左側面８４ｄと、カバー保持フック９０ａ，９０ｂと、ロック部９２と、鍵穴９４と、を有する。
【００３９】
正面８２、上面８４ａ、下面８４ｂ、右側面８４ｃ、及び、左側面８４ｄによって、背面側に開口部８６が形成された箱状のカバーが形成される。本実施例では、左側面８４ｄの幅（矢印Ｃ１，Ｃ２方向の長さ）は、右側面８４ｃの幅よりも短く形成されている。
【００４０】
カバー保持フック９０ａ，９０ｂは、左側面８４ｄのうちの背面側端部（矢印Ｃ１側の端部）に形成されている。図２に示すように、カバー保持フック９０ａ，９０ｂを本体４０のカバー保持孔７０ａ，７０ｂに挿通させることによって、カバー８０を本体４０に保持させることができる。
【００４１】
本実施例では、本体４０に保持されたカバー８０は、本体４０が覆われない非カバー位置（図２参照）と、本体４０が覆われるカバー位置（図１参照）と、の間で、カバー保持孔７０ａ，７０ｂ（より具体的には、カバー保持フック９０ａ，９０ｂとカバー保持孔７０ａ，７０ｂとの係合部分）を軸として、左右方向に回動可能である。即ち、カバー８０は、図２の矢印Ｘ方向に沿って、非カバー位置とカバー位置との間で回動可能である。
【００４２】
ロック部９２は、正面８２の背面側に設けられている鉤状の部材である。正面８２の正面側に設けられている鍵穴９４に鍵（図示省略）を挿入し、鍵を回すことにより、ロック部９２を回転させることができる。図１に示すように、カバー８０をカバー位置に保持させた状態で鍵を回すことにより、ロック部９２を本体４０のロック挿入部４４の挿通孔４６に挿通させることができる。
【００４３】
（コントローラ２の設置手順の説明）
続いて、本実施例のコントローラ２を設置する場合の具体的手順について説明する。まず、作業者は、枠体１０を建物の壁に固定する。この際、図４に示すように、作業者は、建物の壁から引き出されている配線１００を、背面１２側から正面１４側に向けて通孔１８を通過させて引き出し、その状態で枠体１０を壁に固定する。
【００４４】
続いて、図４に示すように、作業者は、本体４０を準備し、枠体１０の本体保持フック２０ａ〜２０ｃを本体４０の本体保持孔５０ａ〜５０ｃに挿通させることによって、本体４０を枠体１０に保持させる。上記の通り、枠体１０に保持された本体４０は、本体保持フック２０ａ〜２０ｃ（より具体的には、本体保持フック２０ａ〜２０ｃと本体保持孔５０ａ〜５０ｃとの係合部分）を軸として、図４の矢印Ｙ方向に沿って、作業位置と使用位置との間で回動可能である。作業者は、本体４０を回動させ、図４に示す作業位置に保持する。そして、作業者は、作業位置に保持された本体４０の端子台６６に、枠体１０の通孔１８から引き出されている配線１００を電気的に接続させる（即ち、配線１００と制御基板６０とを電気的に接続させる）ことを含む接続作業を行う。この際、作業者は、配線１００の余剰部分を折りたたんで枠体の内部空間２４内に収容する作業を合わせて行うことができる。
【００４５】
続いて、図５に示すように、作業者は、本体４０を、作業位置から使用位置に回動させる。上記の通り、本体４０が使用位置に保持されている場合、本体４０のネジ孔５２ａ〜５２ｄと、枠体１０のネジ孔２２ａ〜２２ｄと、が重なる。作業者は、ネジ孔５２ａ〜５２ｄとネジ孔２２ａ〜２２ｄとにネジ１１０を螺入することで、本体４０を使用位置に保持した状態で枠体１０に固定することができる。
【００４６】
続いて、図２に示すように、作業者は、カバー８０を準備し、カバー８０のカバー保持フック９０ａ，９０ｂを本体４０のカバー保持孔７０ａ，７０ｂに挿通させることによって、カバー８０を本体４０に保持させる。上記の通り、本体４０に保持されたカバー８０は、カバー保持孔７０ａ，７０ｂを軸として、図２の矢印Ｘ方向に沿って、非カバー位置とカバー位置との間で回動可能である。作業者は、カバー８０を回動させ、図２に示す非カバー位置に保持し、本体４０に対する必要な作業（例えば、制御基板６０の操作等）を行う。
【００４７】
その後、作業者は、カバー８０を、非カバー位置からカバー位置に回動させる。そして、図１に示すように、鍵穴９４に鍵（図示省略）を挿入し、鍵を回すことにより、ロック部９２を回転させて、ロック部９２を本体４０のロック挿入部４４の挿通孔４６に挿通させる。以上の各作業を行うことにより、コントローラ２の設置が完了する。
【００４８】
（本実施例の作用効果）
上記の通り、本実施例では、枠体１０の本体保持フック２０ａ〜２０ｃを本体４０の本体保持孔５０ａ〜５０ｃに挿通させることによって、本体４０を枠体１０に保持させることができる。そして、本体４０を回動させ、図４に示す作業位置に保持することができる。即ち、作業者は、本体４０が作業位置に保持された状態で接続作業を行うことができる。この際、作業者は、両手を使って接続作業を行うことができる。そのため、本体を作業位置で保持することができず、片手で本体を保持しながら他方の手で接続作業を行わなければならない従来のコントローラを設置する場合に比べて、作業者の作業効率が良い。従って、本実施例のコントローラ２によると、従来に比べて、設置の際の作業効率を向上させることができる。特に、第三者によって不正に制御基板６０等が操作されることを防止する目的で、コントローラ２が建物の壁の高所に設置されるべき場合等には、作業者は、脚立等に乗った状態で接続作業を行う必要があるため、特に作業効率が良い。
【００４９】
また、図５に示すように、本実施例では、接続作業の後で、本体４０を回動させて使用位置に保持することができる。作業者は、ネジ孔５２ａ〜５２ｄとネジ孔２２ａ〜２２ｄとにネジ１１０を螺入することで、本体４０を使用位置に保持した状態で枠体１０に固定することができる。そのため、本実施例では、作業者は、接続作業の後で本体４０を使用位置に固定する際に、本体４０を手で使用位置に位置合わせして保持する必要がなく、本体４０を使用位置に容易に位置合わせすることができる。従って、本実施例によると、本体４０を枠体１０に固定する際の作業効率も向上させることができる。また、作業者が脚立等に乗った状態で固定をする場合においては、特に作業効率が良くなる。
【００５０】
上記の通り、本実施例では、枠体１０に保持された本体４０は、本体保持フック２０ａ〜２０ｃを軸として、図４の矢印Ｙ方向に沿って、作業位置と使用位置との間で回動可能である。そのため、作業者は、本体４０を作業位置で保持させた状態で接続作業を行い、その後、本体４０を取り外すことなく使用位置に回動させ、使用位置で保持された状態を維持して、そのまま本体４０を使用位置に固定する作業を行うことができる。設置の際の作業効率をより向上させることができる。
【００５１】
また、図４に示すように、本実施例では、本体４０を正面視する場合における左側端部（即ち、本体保持孔５０ａ〜５０ｃが形成されている側の端部）が保持され、右側端部（即ち、ロック挿入部４４が形成されている側の端部）が保持されない状態で、本体４０が作業位置に保持される。そのため、本実施例では、本体４０を、枠体１０に対して、左側端部を中心に左向きに開いた状態で作業位置に保持することができる。作業位置における本体４０の上下方向（即ち図３の矢印Ａ１、Ａ２方向）の位置が、使用位置における本体４０の上下方向の位置と大きく異ならないため、作業者が作業を行い易くなる。特に、作業者が脚立等に乗った状態で作業をする場合には、作業者が乗る踏台の高さ等を変更する必要がなく、容易に作業を行うことができる。
【００５２】
また、本実施例では、図４に示すように、作業位置で保持されている本体４０と枠体１０とを平面視した場合において、本体４０と枠体１０の正面１４とが形成する角度θは最大で９０°である。そのため、作業位置で保持されている本体４０が、周囲の壁や物体に干渉する事態が発生し難くなる。
【００５３】
また、本実施例では、枠体１０の本体保持フック２０ａ〜２０ｃを、本体４０の本体保持孔５０ａ〜５０ｃに挿通させることで、本体４０を枠体１０に保持することができる。図３に示すように、本体保持フック２０ａ〜２０ｃは、上方向に凸形状を有するフック状に形成されている。従って、本実施例では、比較的簡易な構造によって、本体４０を作業位置に保持させることができる。
【００５４】
また、本実施例では、カバー８０のカバー保持フック９０ａ，９０ｂを本体４０のカバー保持孔７０ａ，７０ｂに挿通させることによって、カバー８０を本体４０に保持させる。この際、カバー８０を非カバー位置に保持させることができる（図２参照）。このため、作業者は、カバー８０が非カバー位置に保持された状態で、本体４０に対する必要な作業（例えば、制御基板６０の操作等）を行うことができる。この場合も、作業者は、片手でカバー８０を保持しながら他方の手で作業を行う必要がなく、作業効率が良い。
【００５５】
（対応関係）
本実施例と請求項の対応関係を説明しておく。背面１２、正面１４が、それぞれ「第１面」、「第２面」の一例である。本体保持フック２０ａ〜２０ｃが「第１保持構造体」及び「第２保持構造体」の一例である。ネジ孔２２ａ〜２２ｄが「固定構造体」の一例である。カバー保持孔７０ａ，７０ｂが「第３保持構造体」の一例である。
【００５６】
（第２実施例）
第１実施例と異なる点を中心に説明する。図６に示すように、本実施例では、枠体１０の本体保持フック１２０ａ〜１２０ｃの形状が第１実施例とは異なる。本実施例では、本体保持フック１２０ａ〜１２０ｃは、それぞれ、上下両方向に凸形状を有するフックである。
【００５７】
本実施例では、本体保持フック１２０ａ〜１２０ｃが上下両方向に凸形状を有するフックであるため、枠体１０を壁に固定する際に、枠体１０の上下方向を逆にしても、本体保持フック１２０ａ〜１２０ｃを、本体４０の本体保持孔５０ａ〜５０ｃに挿通させることが可能である。即ち、枠体１０の上下方向を逆にしても、本体４０を保持することができる。即ち、本実施例によると、本体４０を作業位置に保持する際に、本体４０が、左側端部を中心に左向きに開く状態と、右側端部を中心に右向きに開く状態と、を切り替えることができる。そのため、コントローラ２を設置する場所の周囲の状況に応じて、適切に本体４０を配置することができる。
【００５８】
以上、本明細書で開示する技術の具体例を説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００５９】
（変形例１）上記の各実施例では、コントローラ２はカバー８０を備えている。これに限られず、コントローラ２がカバー８０を備えていなくてもよい。その場合、本体４０が、制御基板６０等を収容可能な筐体を備えていてもよい。
【００６０】
（変形例２）上記の各実施例では、作業位置で保持されている本体４０と枠体１０とを平面視した場合において、本体４０と枠体１０の正面１４とが形成する角度θは最大で９０°である（図４参照）。これに限られず、本体４０と枠体１０の正面１４とが形成する角度θが９０°より大きくてもよい。
【００６１】
（変形例３）上記の各実施例では、本体４０が作業位置に保持される場合、本体４０を正面視する場合における左側端部が保持され、右側端部が保持されない状態で保持される。しかしながら、本体４０が作業位置に保持される場合において、保持されるべき位置はこれには限られない。従って、例えば、本体４０が作業位置に保持される場合、本体４０を正面視する場合における右側端部が保持されるようにしてもよい。その場合、本体４０は、右側端部を軸として、作業位置と使用位置との間で左右方向に回動してもよい。また、例えば、本体４０が作業位置に保持される場合、本体４０を正面視する場合における上側端部が保持されるようにしてもよい。その場合、本体４０は、上側端部を軸として、作業位置と使用位置との間で上下方向に回動してもよい。
【００６２】
（変形例４）上記の各実施例では、枠体１０に保持された本体４０を、作業位置と使用位置との間で回動させることができる。これに代えて、枠体１０に保持された本体４０を、作業位置と使用位置との間で回動させることができなくてもよい。その場合、本体４０は、作業位置と、使用位置と、の２つの位置にそれぞれ保持可能であればよい。即ち、枠体１０は、本体４０を作業位置に保持させるための第１保持構造体と、本体４０を使用位置に保持させるための第２保持構造体と、を別個に備えていてもよい。例えば、本体４０を保持する位置を作業位置から使用位置に変更する場合には、第１保持構造体から本体４０を取り外して、第２保持構造体に保持させるようにしてもよい。
【００６３】
（変形例５）上記の各実施例では、本体４０は、作業位置と使用位置の双方で枠体１０に保持可能である。これに限られず、本体４０は、使用位置において枠体１０に保持することができなくてもよい。本体４０は、少なくとも作業位置において枠体１０に保持可能であればよい。
【００６４】
（変形例６）枠体１０が本体４０を作業位置及び使用位置に保持するための構造体は、本体保持フック２０ａ〜２０ｃと本体保持孔５０ａ〜５０ｃに限られず、任意の構造体であってもよい。従って、例えば、枠体１０側に本体保持孔が形成され、本体４０側に本体保持フックが形成されていてもよい。この場合の枠体１０の本体保持孔も「第１保持構造体」、「第２保持構造体」の一例である。
【００６５】
（変形例７）同様に、本体４０を枠体１０に固定させるための固定構造も、ネジ止めに限られず、任意の構造であってもよい。即ち、「固定構造体」がネジ孔２２ａ〜２２ｄ以外の構造体であってもよい。
【００６６】
（変形例８）上記の各実施例では、本体４０が使用位置に保持されている場合、本体４０の基部４２が通孔１８を閉塞している。これに限られず、例えば、基部４２に適宜孔が開口されており、本体４０が使用位置に保持されている場合においても、通孔１８の一部が閉塞されなくてもよい。即ち、本体４０が使用位置に保持されている場合に、本体４０が通孔１８の少なくとも一部を閉塞すればよい。
【００６７】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００６８】
２：コントローラ
１０：枠体
１２：背面
１３：開口部
１４：正面
１５：開口部
１６ａ：上面
１６ｂ：下面
１６ｃ：右側面
１６ｄ：左側面
１８：通孔
２０ａ〜２０ｃ：本体保持フック
２２ａ〜２２ｄ：ネジ孔
２４：内部空間
４０：本体
４１：基材
４２：基部
４４：ロック挿入部
４６：挿通孔
４８：側面部
５０ａ〜５０ｃ：本体保持孔
５２ａ〜５２ｄ：ネジ孔
６０：制御基板
６２：バッテリ
６４：ＬＥＤモジュール
６６：端子台
７０ａ，７０ｂ：カバー保持孔
８０：カバー
８２：正面
８４ａ：上面
８４ｂ：下面
８４ｃ：右側面
８４ｄ：左側面
８６：開口部
９０ａ，９０ｂ：カバー保持フック
９２：ロック部
９４：鍵穴
１００：配線
１１０：ネジ
１２０ａ〜１２０ｃ：本体保持フック
【図１】
2018032789.tif 000003
【図２】
2018032789.tif 000004
【図３】
2018032789.tif 000005
【図４】
2018032789.tif 000006
【図５】
2018032789.tif 000007
【図６】
2018032789.tif 000008